(57)【要約】【課題】本発明はサイズを調整できる缶切りを開示した。【解決手段】前記本体の中には第一空きチャンバが設置され、前記第一空きチャンバの両側には第一スライド溝が連通するように設置され、前記第一スライド溝の中には第一スライダがスライドできるように設置され、前記第一スライダには固定ブロックが固定され、本発明のサイズを調整できる缶切りは操作が簡単であり、安全で信頼でき、同時に、本発明の装置は簡潔であり、缶詰を開ける効率が高く、実用性が高い。【選択図】図１
2020175947.tif 000002
【特許請求の範囲】
【請求項１】
本体を含み、前記本体の中には第一空きチャンバが設置され、前記第一空きチャンバの両側には第一スライド溝が連通するように設置され、前記第一スライド溝の中には第一スライダがスライドできるように設置され、前記第一スライダには固定ブロックが固定され、前記固定ブロックには弧状ブロックが固定され、前記固定ブロックと前記第一空きチャンバの端面との間には第一ばねが連結され、前記第一スライド溝の底壁の中には第二空きチャンバが設置され、前記第二空きチャンバの中には挟み回転装置が設置され、前記第一空きチャンバの後側端壁には第二スライド溝が連通するように設置され、前記第二スライド溝の中には保護スイッチ装置が設置され、前記第二スライド溝の底壁の中には第三空きチャンバが設置され、前記第三空きチャンバが前記第二空きチャンバに連通しており、前記第三空きチャンバの後側には駆動モータが固定され、前記第三空きチャンバの中には背部駆動装置が設置され、前記第一空きチャンバの頂端には第四空きチャンバが連通するように設置され、前記第四空きチャンバの両側には第五空きチャンバが連通するように設置され、前記第五空きチャンバの中にはのこぎり歯が固定され、前記第四空きチャンバの中には第二スライダがスライドできるように設置され、前記第四空きチャンバの中には磁性金属が固定され、前記第四空きチャンバの頂端には長ロッドがスライドできるように設置され、前記長ロッドと前記第二スライダとの間には高度ロック装置が設置されていることを特徴とするサイズを調整できる缶切り。
【請求項２】
前記弧状ブロックの中には内方へ開口した第六空きチャンバが設置され、前記第六空きチャンバの中には第一回転軸が設置され、前記第一回転軸には摩擦輪が上下対称的に固定され、対称的な前記摩擦輪の間には第一プーリが設置され、前記固定ブロックの中には前記第六空きチャンバに連通している連通溝が設置され、前記固定ブロックの底壁の中には第七空きチャンバが設置され、前記第七空きチャンバと前記連通溝との間には第二回転軸が設置され、前記連通溝の中の前記第二回転軸には第二プーリが固定され、前記第二プーリと前記第一プーリとの間には第一ベルトが伝動できるように設置され、前記第七空きチャンバの中の前記第二回転軸には第一ベベルギヤが固定され、前記第一空きチャンバと前記第七空きチャンバとの間には第一スプライン軸が設置され、前記第七空きチャンバの中の前記第一スプライン軸には第二ベベルギヤが固定され、前記第二ベベルギヤが前記第一ベベルギヤと噛み合っており、前記第二空きチャンバと前記第一空きチャンバとの間には第二スプライン軸が設置され、前記第二スプライン軸が前記第一スプライン軸と伝動できるように噛み合っており、前記第二空きチャンバの中の前記第二スプライン軸には第三ベベルギヤが固定されていることを特徴とする請求項１に記載のサイズを調整できる缶切り。
【請求項３】
前記第二空きチャンバの中には第三回転軸が設置され、前記第三回転軸には第四ベベルギヤと第三プーリが固定され、前記第四ベベルギヤが前記第三ベベルギヤと噛み合っており、前記駆動モータの前端には第四プーリが動力が伝達できるように連結され、前記第四プーリと前記第三プーリとの間には第二ベルトが伝動できるように設置されていることを特徴とする請求項１に記載のサイズを調整できる缶切り。
【請求項４】
前記高度ロック装置は前記第四空きチャンバを含み、前記第二スライダの前端には第一永久磁石が固定され、前記第一永久磁石の底端には刃が固定され、前記第二スライダの左右端壁の中には対称的な斜めブロックがスライドできるように設置され、前記斜めブロックが前記のこぎり歯と噛み合うことができ、前記第二スライダの底端にはリングが設置され、前記リングと前記第二スライダとの間には第二ばねが連結され、前記リングには第三スライダが左右対称的にスライドできるように設置され、前記第三スライダと前記斜めブロックとの間には液圧パイプが伝動できるように設置され、前記第四空きチャンバの中の前記長ロッドには第二永久磁石が固定され、前記本体の外側の前記長ロッドにはボタンが固定され、前記ボタンと前記本体の頂面との間には第三ばねが連結されていることを特徴とする請求項１に記載のサイズを調整できる缶切り。
【請求項５】
前記保護スイッチ装置は前記第二スライド溝を含み、前記第二スライド溝の中にはスライド板がスライドできるように設置され、前記第二スライド溝の後側には押圧スイッチが固定され、前記第二スライド溝の頂端には第三スライド溝が連通するように設置され、前記第三スライド溝の中には前記スライド板と固定される第四スライダがスライドできるように設置され、前記第四スライダと前記第三スライド溝の端壁との間には第四ばねが連結されていることを特徴とする請求項１に記載のサイズを調整できる缶切り。
【発明の詳細な説明】
【技術分野】
【０００１】
本発明は生活用具分野を取り上げて、具体的にはサイズを調整できる缶切りである。
【背景技術】
【０００２】
伝統的な缶切りの刃がいつも外部空間にさらされ、使用者が適当でない操作をしてしまう時または子供がそれをおもちゃとして遊ぶ時、刃に傷つけられるリスクがあり、また、生活の中での缶詰の種類が多く、大きさも高さも一様でなく、一般的な自動缶切りの汎用性が低く、缶詰を開ける時に缶詰の上部を直接に切って取り除く必要があり、切られた後の缶詰も人を傷つける可能性があり、そのため、上記の問題を解決するためにサイズを調整できる缶切りを設計する必要がある。  
【先行技術文献】
【特許文献】
【０００３】
【特許文献１】中国特許出願公開第１３１９０７２号明細書
【発明の概要】
【発明が解決しようとする課題】
【０００４】
本発明はサイズを調整できる缶切りを提供し、従来技術における上記欠点を解消することを目的とする。
【課題を解決するための手段】
【０００５】
本発明は以下の技術プランを通じて実現される：本発明のサイズを調整できる缶切りは、本体を含み、前記本体の中には第一空きチャンバが設置され、前記第一空きチャンバの両側には第一スライド溝が連通するように設置され、前記第一スライド溝の中には第一スライダがスライドできるように設置され、前記第一スライダには固定ブロックが固定され、前記固定ブロックには弧状ブロックが固定され、前記固定ブロックと前記第一空きチャンバの端面との間には第一ばねが連結され、前記第一スライド溝の底壁の中には第二空きチャンバが設置され、前記第二空きチャンバの中には挟み回転装置が設置され、前記第一空きチャンバの後側端壁には第二スライド溝が連通するように設置され、前記第二スライド溝の中には保護スイッチ装置が設置され、前記第二スライド溝の底壁の中には第三空きチャンバが設置され、前記第三空きチャンバが前記第二空きチャンバに連通しており、前記第三空きチャンバの後側には駆動モータが固定され、前記第三空きチャンバの中には背部駆動装置が設置され、前記第一空きチャンバの頂端には第四空きチャンバが連通するように設置され、前記第四空きチャンバの両側には第五空きチャンバが連通するように設置され、前記第五空きチャンバの中にはのこぎり歯が固定され、前記第四空きチャンバの中には第二スライダがスライドできるように設置され、前記第四空きチャンバの中には磁性金属が固定され、前記第四空きチャンバの頂端には長ロッドがスライドできるように設置され、前記長ロッドと前記第二スライダとの間には高度ロック装置が設置されている。
【０００６】
前記弧状ブロックの中には内方へ開口した第六空きチャンバが設置され、前記第六空きチャンバの中には第一回転軸が設置され、前記第一回転軸には摩擦輪が上下対称的に固定され、対称的な前記摩擦輪の間には第一プーリが設置され、前記固定ブロックの中には前記第六空きチャンバに連通している連通溝が設置され、前記固定ブロックの底壁の中には第七空きチャンバが設置され、前記第七空きチャンバと前記連通溝との間には第二回転軸が設置され、前記連通溝の中の前記第二回転軸には第二プーリが固定され、前記第二プーリと前記第一プーリとの間には第一ベルトが伝動できるように設置され、前記第七空きチャンバの中の前記第二回転軸には第一ベベルギヤが固定され、前記第一空きチャンバと前記第七空きチャンバとの間には第一スプライン軸が設置され、前記第七空きチャンバの中の前記第一スプライン軸には第二ベベルギヤが固定され、前記第二ベベルギヤが前記第一ベベルギヤと噛み合っており、前記第二空きチャンバと前記第一空きチャンバとの間には第二スプライン軸が設置され、前記第二スプライン軸が前記第一スプライン軸と伝動できるように噛み合っており、前記第二空きチャンバの中の前記第二スプライン軸には第三ベベルギヤが固定されている。
【０００７】
前記第二空きチャンバの中には第三回転軸が設置され、前記第三回転軸には第四ベベルギヤと第三プーリが固定され、前記第四ベベルギヤが前記第三ベベルギヤと噛み合っており、前記駆動モータの前端には第四プーリが動力が伝達できるように連結され、前記第四プーリと前記第三プーリとの間には第二ベルトが伝動できるように設置されている。
【０００８】
好ましくは、前記高度ロック装置は前記第四空きチャンバを含み、前記第二スライダの前端には第一永久磁石が固定され、前記第一永久磁石の底端には刃が固定され、前記第二スライダの左右端壁の中には対称的な斜めブロックがスライドできるように設置され、前記斜めブロックが前記のこぎり歯と噛み合うことができ、前記第二スライダの底端にはリングが設置され、前記リングと前記第二スライダとの間には第二ばねが連結され、前記リングには第三スライダが左右対称的にスライドできるように設置され、前記第三スライダと前記斜めブロックとの間には液圧パイプが伝動できるように設置され、前記第四空きチャンバの中の前記長ロッドには第二永久磁石が固定され、前記本体の外側の前記長ロッドにはボタンが固定され、前記ボタンと前記本体の頂面との間には第三ばねが連結されている。
【０００９】
好ましくは、前記保護スイッチ装置は前記第二スライド溝を含み、前記第二スライド溝の中にはスライド板がスライドできるように設置され、前記第二スライド溝の後側には押圧スイッチが固定され、前記第二スライド溝の頂端には第三スライド溝が連通するように設置され、前記第三スライド溝の中には前記スライド板と固定される第四スライダがスライドできるように設置され、前記第四スライダと前記第三スライド溝の端壁との間には第四ばねが連結されている。
【発明の効果】
【００１０】
以上により、本発明のサイズを調整できる缶切りは操作が簡単であり、安全で信頼でき、同時に、本発明の装置は簡潔であり、缶詰を開ける効率が高く、実用性が高い。
【図面の簡単な説明】
【００１１】
説明しやすいために、本発明は以下の具体的な実施例及び付図により詳しく説明する。
【００１２】
【図１】図１は本発明のサイズを調整できる缶切りの全体構成模式図
【図２】図２は図１の中のＡ−Ａ方向の構成模式図
【図３】図３は図２の中のＣ−Ｃ方向の構成模式図
【図４】図４は図１の中のＢにおける拡大構成模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１５】
図１〜４に示すように、本発明のサイズを調整できる缶切りは、本体１０を含み、前記本体１０の中には第一空きチャンバ１５が設置され、前記第一空きチャンバ１５の両側には第一スライド溝１７が連通するように設置され、前記第一スライド溝１７の中には第一スライダ１６がスライドできるように設置され、前記第一スライダ１６には固定ブロック４６が固定され、前記固定ブロック４６には弧状ブロック５９が固定され、前記固定ブロック４６と前記第一空きチャンバ１５の端面との間には第一ばね１８が連結され、前記第一スライド溝１７の底壁の中には第二空きチャンバ１９が設置され、前記第二空きチャンバ１９の中には挟み回転装置９０が設置され、前記第一空きチャンバ１５の後側端壁には第二スライド溝４０が連通するように設置され、前記第二スライド溝４０の中には保護スイッチ装置９１が設置され、前記第二スライド溝４０の底壁の中には第三空きチャンバ４３が設置され、前記第三空きチャンバ４３が前記第二空きチャンバ１９に連通しており、前記第三空きチャンバ４３の後側には駆動モータ４１が固定され、前記第三空きチャンバ４３の中には背部駆動装置９３が設置され、前記第一空きチャンバ１５の頂端には第四空きチャンバ１２が連通するように設置され、前記第四空きチャンバ１２の両側には第五空きチャンバ１３が連通するように設置され、前記第五空きチャンバ１３の中にはのこぎり歯１４が固定され、前記第四空きチャンバ１２の中には第二スライダ３０がスライドできるように設置され、前記第四空きチャンバ１２の中には磁性金属１１が固定され、前記第四空きチャンバ１２の頂端には長ロッド３３がスライドできるように設置され、前記長ロッド３３と前記第二スライダ３０との間には高度ロック装置９２が設置されている。
【００１６】
以下に、前記挟み回転装置９０を実現できる具体的な実現方式を詳しく紹介し、前記弧状ブロック５９の中には内方へ開口した第六空きチャンバ５５が設置され、前記第六空きチャンバ５５の中には第一回転軸５８が設置され、前記第一回転軸５８には摩擦輪５７が上下対称的に固定され、対称的な前記摩擦輪５７の間には第一プーリ５６が設置され、前記固定ブロック４６の中には前記第六空きチャンバ５５に連通している連通溝４７が設置され、前記固定ブロック４６の底壁の中には第七空きチャンバ５４が設置され、前記第七空きチャンバ５４と前記連通溝４７との間には第二回転軸５０が設置され、前記連通溝４７の中の前記第二回転軸５０には第二プーリ４８が固定され、前記第二プーリ４８と前記第一プーリ５６との間には第一ベルト４９が伝動できるように設置され、前記第七空きチャンバ５４の中の前記第二回転軸５０には第一ベベルギヤ５１が固定され、前記第一空きチャンバ１５と前記第七空きチャンバ５４との間には第一スプライン軸５２が設置され、前記第七空きチャンバ５４の中の前記第一スプライン軸５２には第二ベベルギヤ５３が固定され、前記第二ベベルギヤ５３が前記第一ベベルギヤ５１と噛み合っており、前記第二空きチャンバ１９と前記第一空きチャンバ１５との間には第二スプライン軸２３が設置され、前記第二スプライン軸２３が前記第一スプライン軸５２と伝動できるように噛み合っており、前記第二空きチャンバ１９の中の前記第二スプライン軸２３には第三ベベルギヤ２２が固定されている。
【００１７】
次に、図１〜３を参照して本出願の前記背部駆動装置９３を詳しく紹介し、前記第二空きチャンバ１９の中には第三回転軸２１が設置され、前記第三回転軸２１には第四ベベルギヤ２０と第三プーリ４５が固定され、前記第四ベベルギヤ２０が前記第三ベベルギヤ２２と噛み合っており、前記駆動モータ４１の前端には第四プーリ４２が動力が伝達できるように連結され、前記第四プーリ４２と前記第三プーリ４５との間には第二ベルト４４が伝動できるように設置されている。
【００１８】
有益的には、図１と図２に示すように、前記高度ロック装置９２は前記第四空きチャンバ１２を含み、前記第二スライダ３０の前端には第一永久磁石３１が固定され、前記第一永久磁石３１の底端には刃２５が固定され、前記第二スライダ３０の左右端壁の中には対称的な斜めブロック２９がスライドできるように設置され、前記斜めブロック２９が前記のこぎり歯１４と噛み合うことができ、前記第二スライダ３０の底端にはリング６０が設置され、前記リング６０と前記第二スライダ３０との間には第二ばね２６が連結され、前記リング６０には第三スライダ２７が左右対称的にスライドできるように設置され、前記第三スライダ２７と前記斜めブロック２９との間には液圧パイプ２８が伝動できるように設置され、前記第四空きチャンバ１２の中の前記長ロッド３３には第二永久磁石３２が固定され、前記本体１０の外側の前記長ロッド３３にはボタン３４が固定され、前記ボタン３４と前記本体１０の頂面との間には第三ばね３５が連結されている。
【００１９】
有益的には、図２に示すように、前記保護スイッチ装置９１は前記第二スライド溝４０を含み、前記第二スライド溝４０の中にはスライド板２４がスライドできるように設置され、前記第二スライド溝４０の後側には押圧スイッチ３９が固定され、前記第二スライド溝４０の頂端には第三スライド溝３８が連通するように設置され、前記第三スライド溝３８の中には前記スライド板２４と固定される第四スライダ３６がスライドできるように設置され、前記第四スライダ３６と前記第三スライド溝３８の端壁との間には第四ばね３７が連結されている。
【００２０】
以下、出願人は付図１−４及び上記の本出願のサイズを調整できる缶切りの具体的な構成を参照してその使用方法を詳しく紹介する：
【００２１】
まず、初期状態において、第二永久磁石３２と第一永久磁石３１とが互いに反発し合い、第一永久磁石３１が磁性金属１１に吸着し、斜めブロック２９がのこぎり歯１４と噛み合っていない。
【００２２】
缶詰を開ける時、缶詰を対称的な弧状ブロック５９の中に置いた後、弧状ブロック５９が第一ばね１８の圧力のもとで缶詰をきつく挟み、摩擦輪５７が缶詰の側面に密着し、缶詰がスライド板２４を押圧し、スライド板２４が押圧スイッチ３９にタッチし、押圧スイッチ３９が駆動モータ４１を通電させる。
【００２３】
ボタン３４を押し、長ロッド３３が下へスライドし、長ロッド３３が第二永久磁石３２を連動させて第一永久磁石３１に近接させ、反発力が増加し、第一永久磁石３１が第二スライダ３０を連動させて下へスライドさせ、刃２５が下へスライドして缶詰の頂端を突き破って缶詰の中に入り、第二スライダ３０が下へスライドし続ける時、缶詰がリング６０を押圧し、リング６０により第三スライダ２７が連動して液圧パイプ２８を押し、液圧パイプ２８が斜めブロック２９を連動させてのこぎり歯１４と噛み合わせ、第二スライダ３０が継続して下へスライドできなく、刃２５が継続して缶詰の内部に入らない。
【００２４】
そして、駆動モータ４１を始動し、駆動モータ４１が第四プーリ４２を連動させて回転させ、第四プーリ４２が第二ベルト４４により第三プーリ４５を連動させて回転させ、第三プーリ４５が第四ベベルギヤ２０を連動させて回転させ、第四ベベルギヤ２０が第三ベベルギヤ２２を連動させて回転させ、第二ベベルギヤ５３が第一ベベルギヤ５１を連動させて回転させ、第一ベベルギヤ５１が第二プーリ４８を連動させて回転させ、第二プーリ４８が第一ベルト４９により第一プーリ５６を連動させて回転させ、第一プーリ５６が摩擦輪５７を連動させて回転させ、摩擦輪５７が缶詰を連動させて回転させ、回転している缶詰が刃２５と作動し合って缶詰を開ける。
【００２５】
以上により、本発明のサイズを調整できる缶切りは操作が簡単であり、安全で信頼でき、同時に、本発明の装置は簡潔であり、缶詰を開ける効率が高く、実用性が高い。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。
【図１】
2020175947.tif 000003
【図２】
2020175947.tif 000004
【図３】
2020175947.tif 000005
【図４】
2020175947.tif 000006
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
本体を含み、前記本体の中には第一空きチャンバが設置され、前記第一空きチャンバの両側には第一スライド溝が連通するように設置され、前記第一スライド溝の中には第一スライダがスライドできるように設置され、前記第一スライダには固定ブロックが固定され、前記固定ブロックには弧状ブロックが固定され、前記固定ブロックと前記第一空きチャンバの端面との間には第一ばねが連結され、前記第一スライド溝の底壁の中には第二空きチャンバが設置され、前記第二空きチャンバの中には挟み回転装置が設置され、前記第一空きチャンバの後側端壁には第二スライド溝が連通するように設置され、前記第二スライド溝の中には保護スイッチ装置が設置され、前記第二スライド溝の底壁の中には第三空きチャンバが設置され、前記第三空きチャンバが前記第二空きチャンバに連通しており、前記第三空きチャンバの後側には駆動モータが固定され、前記第三空きチャンバの中には背部駆動装置が設置され、前記第一空きチャンバの頂端には第四空きチャンバが連通するように設置され、前記第四空きチャンバの両側には第五空きチャンバが連通するように設置され、前記第五空きチャンバの中にはのこぎり歯が固定され、前記第四空きチャンバの中には第二スライダがスライドできるように設置され、前記第四空きチャンバの中には磁性金属が固定され、前記第四空きチャンバの頂端には長ロッドがスライドできるように設置され、前記長ロッドと前記第二スライダとの間には高度ロック装置が設置されていることを特徴とするサイズを調整できる缶切り。
【請求項２】
前記弧状ブロックの中には内方へ開口した第六空きチャンバが設置され、前記第六空きチャンバの中には第一回転軸が設置され、前記第一回転軸には摩擦輪が上下対称的に固定され、対称的な前記摩擦輪の間には第一プーリが設置され、前記固定ブロックの中には前記第六空きチャンバに連通している連通溝が設置され、前記固定ブロックの底壁の中には第七空きチャンバが設置され、前記第七空きチャンバと前記連通溝との間には第二回転軸が設置され、前記連通溝の中の前記第二回転軸には第二プーリが固定され、前記第二プーリと前記第一プーリとの間には第一ベルトが伝動できるように設置され、前記第七空きチャンバの中の前記第二回転軸には第一ベベルギヤが固定され、前記第一空きチャンバと前記第七空きチャンバとの間には第一スプライン軸が設置され、前記第七空きチャンバの中の前記第一スプライン軸には第二ベベルギヤが固定され、前記第二ベベルギヤが前記第一ベベルギヤと噛み合っており、前記第二空きチャンバと前記第一空きチャンバとの間には第二スプライン軸が設置され、前記第二スプライン軸が前記第一スプライン軸と伝動できるように噛み合っており、前記第二空きチャンバの中の前記第二スプライン軸には第三ベベルギヤが固定されていることを特徴とする請求項１に記載のサイズを調整できる缶切り。
【請求項３】
前記第二空きチャンバの中には第三回転軸が設置され、前記第三回転軸には第四ベベルギヤと第三プーリが固定され、前記第四ベベルギヤが前記第三ベベルギヤと噛み合っており、前記駆動モータの前端には第四プーリが動力が伝達できるように連結され、前記第四プーリと前記第三プーリとの間には第二ベルトが伝動できるように設置されていることを特徴とする請求項２に記載のサイズを調整できる缶切り。
【請求項４】
前記高度ロック装置は前記第四空きチャンバを含み、前記第二スライダの前端には第一永久磁石が固定され、前記第一永久磁石の底端には刃が固定され、前記第二スライダの左右端壁の中には対称的な斜めブロックがスライドできるように設置され、前記斜めブロックが前記のこぎり歯と噛み合うことができ、前記第二スライダの底端にはリングが設置され、前記リングと前記第二スライダとの間には第二ばねが連結され、前記リングには第三スライダが左右対称的にスライドできるように設置され、前記第三スライダと前記斜めブロックとの間には液圧パイプが伝動できるように設置され、前記第四空きチャンバの中の前記長ロッドには第二永久磁石が固定され、前記本体の外側の前記長ロッドにはボタンが固定され、前記ボタンと前記本体の頂面との間には第三ばねが連結されていることを特徴とする請求項１に記載のサイズを調整できる缶切り。
【請求項５】
前記保護スイッチ装置は前記第二スライド溝を含み、前記第二スライド溝の中にはスライド板がスライドできるように設置され、前記第二スライド溝の後側には押圧スイッチが固定され、前記第二スライド溝の頂端には第三スライド溝が連通するように設置され、前記第三スライド溝の中には前記スライド板と固定される第四スライダがスライドできるように設置され、前記第四スライダと前記第三スライド溝の端壁との間には第四ばねが連結されていることを特徴とする請求項１に記載のサイズを調整できる缶切り。